(57)【要約】      （修正有）【課題】暦と時差の早見機能を一体化した。【解決手段】１つのカレンダー用紙の中に複数の国、地域の暦を隣接して配列する。各日付２は四角形の枠で囲み、その底辺または上辺を２４等分に目盛３１を付け、その１目盛を１時間として１日２４時間を示す。隣接する国の日付の配置関係については、下位の国の日付の枠の開始位置（０時の位置）５ｂは、上位の国の日付の枠の目盛から両国間の時差の時間分４ａだけずらして配置する。使用法は自国の現在時刻を示す目盛から想像上の線を伸ばした先にある相手国の目盛が時刻、日付を示す。これにより時差計算なしで各国間の日付、時刻等を視覚的に簡単に知ることができる。【選択図】図１
0003119821.tif 000002
【実用新案登録請求の範囲】
【請求項１】
一つのカレンダー表示面に複数の国（または都市、州などの地域）の暦の日付を表示する。各国の日付が進む方向が同じ方向に向くように、各国の暦の日付を互いに隣接させて配列する。各日付は四角形の枠で囲み、隣国の日付との隣接面に位置する枠の一辺またはその対辺を２４等分に目盛を付け、その１目盛を１時間とする。これは日付の枠を時刻０時とし、目盛は１時から２３時まで１日の時刻を示す。１目盛の幅は各国とも全て同じとし、各国の目盛から延びる想像上の延長線上に各国の目盛が互いに乗るように配置する。各国の暦の各日付の枠の開始位置（時刻０時の位置）は隣接する国の日付の枠の目盛から隣接する国との時差の時間分だけ、ずらして配置する。隣接する国より時差の遅れがある場合には当該国の日付の枠の開始位置は隣接する国より後へずらして配置し、時差の進みがある場合は前へずらして配置する。以上の如く配置された複数国（または都市、州などの地域）の時差に対応した時差対応カレンダー。
【請求項２】
請求項１記載の各国（または都市、州などの地域）のうち、夏時間が適用される国の夏時間の開始日は１時間繰り上がるため、その該当日の一辺の目盛の数を１目盛分少なくする。夏時間の終了日は１時間繰り延べられるため、その該当日の一辺の目盛の数を１目盛分増やす。夏時間の適用の有無にかかわらず１目盛の幅は全て同じとする。以上の如く配置して夏時間の適用に対応した時差対応カレンダー。
【請求項３】
請求項１および２記載の各国（または都市、州などの地域）の夏時間の開始日と終了日、祝祭日、公休日、公的主要行事を暦の日付の中に表示することを特徴とする時差対応カレンダー。
【考案の詳細な説明】
【技術分野】
【０００１】  本考案は、世界各地の時差および時差に伴う日付のズレを視覚的に把握する機能を付加したカレンダーに関するものである。
【背景技術】
【０００２】  世界各地の時差による時刻を把握する場合、従来は時差を計算して求めたり、時差用の早見表を参照したり、あるいは電子計算機を利用して求められていた。【０００３】  世界各地の祝祭日、公休日、行事や夏時間の適用を把握するためには、一般的にはその国（または都市、州などの地域）の暦に関する情報を書籍等で調べたり、その国の知人等に確認したり、その国のカレンダーを入手する方法が考えられる。
【考案の開示】
【考案が解決しようとする課題】
【０００４】  従来方法の欠点として、海外と電話で打ち合わせをするスケジュールを立てたり、海外旅行の旅程を計画する場合、自国のカレンダーを見ながら時差を計算して相手国の日付と時刻に置き換え、さらに相手国の公休日も考慮してスケジュールを立てるのはわかりにくく煩雑であった。とくに都合の良い日程を幾通りか探す場合などでは日付の確認と時差計算を何度も繰り返すことになり、その作業がさらに煩雑となることが問題であった。【０００５】  このような日付確認と時差計算の繰り返しをなくするため、暦と時差の早見機能を一体化することで、これらの欠点を解決しようとするものである。
【課題を解決するための手段】
【０００６】  以下、添付図面に従って説明する。本考案は１つのカレンダー用紙の中に複数の国（または都市、州などの地域）の暦を配列するものであるが、図１のように用紙の横方向に日付が進む暦の場合は各国の暦１ａ〜１ｅは上下方向に隣接させて配列する。【０００７】  図１の各日付２は四角形の枠で囲み、その底辺（または上辺）を２４等分に目盛３１を付け、その１目盛を１時間とする。左端の目盛を１時とし、時間は右方向へ進み、右端の目盛で２３時。日付の枠が時刻０時となる。１目盛の幅は各国とも全て同じとする。【０００８】  各国の暦の配列順で、上下隣接する国の横方向の日付の配置関係については、下位の国の日付の枠の開始位置（時刻０時の位置）は、上位の国の日付の枠の目盛から両国間の時差の時間分だけずらして配置する。【０００９】  例として図１の配列順で上から２番目の国、英国１ｂは上から１番目の国、日本１ａより時差が９時間の遅れがあるため、英国１ｂの日付の枠の開始位置５ｂ（０時の位置）は日本１ａの９時間目の目盛位置４ａに合わせて配置する。【００１０】  図１の配列順で上から３番目の国、米国ニューヨーク１ｃの枠の開始位置（０時の位置）５ｃは、上から２番目の英国１ｂの枠の目盛から時差の遅れ５時間の目盛位置４ｂに合わせて配置する。参考として、日本とニューヨーク間の時差１４時間、日本と英国間の時差９時間の遅れがあるため、ニューヨークと英国間では時差５時間となる。【００１１】  図１の配列順で上から４番目の国、米国ロサンゼルス１ｄの枠の開始位置（０時の位置）５ｄは、上から３番目のニューヨーク１ｃの枠の目盛から時差の遅れ３時間の目盛位置４ｃに合わせて配置する。参考として、日本とロサンゼルス間の時差１７時間、日本とニューヨーク間の時差１４時間の遅れがあるため、ロサンゼルスとニューヨーク間では時差３時間となる。【００１２】  図１の配列順で上から５番目の国、米国ハワイ州１ｅの枠の開始位置（０時の位置）５ｅは、上から４番目のロサンゼルス１ｄの枠の目盛から時差の遅れ２時間の目盛位置４ｄに合わせて配置する。参考として、日本とハワイ間の時差１９時間、日本とロサンゼルス間の時差１７時間の遅れがあるため、ハワイとロサンゼルス間では時差２時間となる。【００１３】  夏時間が適用される国（または都市、州などの地域）における目盛の配置については、図２の２００６年３月を例にすると、英国１ｂの夏時間の開始日２６日は１時間繰り上がるため、その該当日のみ、一辺の目盛の数を１目盛分少なくする。そのため、当該日の枠の目盛を配置した辺とその対辺は１目盛分、辺の長さが短くなり、１日２３時間分の目盛３２となる。【００１４】  夏時間の終了日は図２の２００６年１０月を例にすると、英国１ｂの夏時間の終了日２９日は１時間繰り延べられるため、その該当日のみ、一辺の目盛の数を１目盛分増やす。そのため、当該日の枠の目盛を配置した辺とその対辺は１目盛分、辺の長さが長くなり、１日２５時間分の目盛３３となる。【００１５】  各国（または都市、州などの地域）の夏時間の適用の有無とその開始日と終了日、祝祭日、公休日など各国の公的主要行事名を暦の日付の中に、図１の７のように表示する。
【作用】
【００１６】  本考案において、自国の現在時刻における海外の時刻と日付を知る時の使用法を説明する。日本を自国とし、海外の相手国を英国とした場合、日本の現在時刻が１６日月曜日、６時の時における英国の日付と時刻を求める例を図３で示す。
【００１７】  図３の日本１ａの１６日月曜日の日付の枠にある目盛の左から６番目の目盛８ａが現在時刻の６時を示す。目盛８ａから、想像上の延長線８を伸ばし、その線が重なるのは英国１ｂの目盛８ｂとなる。目盛８ｂは１５日の日付の枠の目盛の左から２１番目に位置することがわかる。これによって英国の時刻は１５日日曜日の２１時であると視覚的に知ることができる。
【考案の効果】
【００１８】  本考案の使用により、時差計算が不要となり、時差による時刻、日付、曜日、夏時間、祝祭日等の把握を一括して簡単に視覚的に把握できる。
【００１９】  海外の会社と同時通話する日程調整をする場合や、海外旅行の日程調整をする場合など海外とのスケジュール調整において、煩雑な時差計算と暦の日付確認の繰り返し作業が解消される。特に相手国の数が多いほどその効果は大きくなる。
【考案を実施するための最良の形態】
【００２０】  カレンダー上に配置できる国（または都市、州などの地域）の数は用紙の大きさが許す限り可能ではあるが、配置する国数が多すぎるとカレンダー内の各国の暦が混雑し、見にくくなる。そのため、経度が離れている国、つまり時差が離れている国同士を適宜、配置すると少ない国数でも、見やすく利便性が高いカレンダーとなる。【００２１】  各国の配置順は、時差による日付の到来が早い順に配置すると、各国の日付の遅れが視覚的にわかりやすくなる。例として図１の各国１ａ〜１ｅの配置順は最も近く日付が早く到来する日本１ａを最上位に置き、以降、日付の早く到来する順に配列し、最も日付の到来の遅い米国ハワイ州１ｅを最下位としたものである。
【実施例】
【００２２】  図４は日付の進む方向が横方向で、かつ１か月を表示する一般的なカレンダーに本考案を適用した実施例である。【００２３】  図５はスケジュール手帳などに見られるような日付の進む方向が縦方向で、かつ１週間分のカレンダーに本考案を適用した実施例である。
【産業上の利用可能性】
【００２４】  本考案はカレンダーの材質や媒体を問わず利用可能なため、紙、プラスチック製のカレンダーのほかに、コンピュータ画像によるカレンダーへの利用が考えられる。【００２５】  本考案はカレンダーの日付の進む方向が横、縦方向を問わず利用可能なため、一般的なカレンダーのほかに、日程表付きの手帳、時刻表、海外旅程表などへの利用が考えられる。
【図面の簡単な説明】
【００２６】
【図１】本考案の基本例を示すため、カレンダーの一部を拡大した模式図である。
【図２】本考案の夏時間の開始日、終了日における基本例を示すため、カレンダーの一部を拡大した模式図である。
【図３】本考案の使用法を示すため、カレンダーの一部を拡大した模式図である。
【図４】本考案を適用した実施例を示す正面図である。
【図５】本考案を適用した実施例を示す正面図である。
【符号の説明】
【００２７】  １ａ〜１ｅ  国または都市、州などの地域
２    日付の１枠を示す。
３１  １辺の目盛数が２４時間分の目盛となる状態を示す。
３２  夏時間の開始日のみ１辺の目盛数が２３時間分の目盛となる状態を示す。
３３  夏時間の終了日のみ１辺の目盛数が２５時間分の目盛となる状態を示す。
４ａ〜４ｄ  各国の日付の開始位置を定める時差を示す。
５ｂ〜５ｅ  各国の日付の０時の開始位置を示す。
６    曜日
７    公的主要行事欄
８    想像上の延長線を示す。
８ａ、８ｂ  想像上の延長線が重なる目盛を示す。
９    予定記入欄
【図１】
0003119821.tif 000003
【図２】
0003119821.tif 000004
【図３】
0003119821.tif 000005
【図４】
0003119821.tif 000006
【図５】
0003119821.tif 000007
【手続補正書】
【提出日】平成17年9月1日(2005.9.1)
【手続補正１】
【補正対象書類名】実用新案登録請求の範囲
【補正対象項目名】全文
【補正方法】変更
【補正の内容】
【実用新案登録請求の範囲】
【請求項１】
一つのカレンダー表示面に複数の国（または都市、州などの地域）の暦の日付を表示することにおいて、
（１）各国の日付が進む方向が同じ方向に向くように、各国の暦の日付を互いに隣接させて配列する。
（２）各日付は四角形の枠で囲み、隣国の日付との隣接面に位置する枠の一辺またはその対辺を２４等分に目盛を付け、その１目盛を１時間とすることで日付の枠を時刻０時とし、目盛は１時から２３時まで１日の時刻を示す。
（３）１目盛の幅は各国とも全て同じとし、各国の目盛から延びる想像上の延長線上に各国の目盛が互いに乗るように配置する。
（４）各国の暦の各日付の枠の開始位置（時刻０時の位置）は隣接する国の日付の枠の目盛から隣接する国との時差の時間分だけ、ずらして配置し、それが隣接する国より時差の遅れがある場合には当該国の日付の枠の開始位置は隣接する国より後へずらして配置し、時差の進みがある場合は前へずらして配置する。
以上の構成からなる複数国（または都市、州などの地域）の時差に対応した時差対応カレンダー。
【請求項２】
請求項１記載の各国（または都市、州などの地域）のうち、夏時間が適用される国の夏時間の開始日は１時間繰り上がるため、その該当日の一辺の目盛の数を１目盛分少なくし、夏時間の終了日は１時間繰り延べられるため、その該当日の一辺の目盛の数を１目盛分増やすが、夏時間の適用の有無にかかわらず１目盛の幅は全て同じに配置して夏時間の適用に対応した時差対応カレンダー。
【請求項３】
請求項１または２記載の各国（または都市、州などの地域）の夏時間の開始日と終了日、祝祭日、公休日、公的主要行事を暦の日付の中に表示することを特徴とする時差対応カレンダー。
【手続補正書】
【提出日】平成17年11月12日(2005.11.12)
【手続補正１】
【補正対象書類名】実用新案登録請求の範囲
【補正対象項目名】全文
【補正方法】変更
【補正の内容】
【実用新案登録請求の範囲】
【請求項１】
紙またはプラスチック製のカレンダーの一つの表示面に複数国、都市、または州の暦の日付を表示することにおいて、
（１）各国の日付が進む方向が同じ方向に向くように、各国の暦の日付を互いに隣接させて配列する。
（２）各日付は四角形の粋で囲み、隣国の日付との隣接面に位置する粋の一辺またはその対辺を２４等分に目盛を付け、その１目盛を１時間とすることで日付の枠を時刻０時とし、目盛は１時から２３時まで１日の時刻を示す。
（３）１目盛の幅は各国とも全て同じとし、各国の目盛から延びる想像上の延長線上に各国の目盛が互いに乗るように配置する。
（４）各国の暦の各日付の枠の開始位置である時刻０時の位置は隣接する国の日付の枠の目盛から隣接する国との時差の時間分だけ、ずらして配置し、それが隣接する国より時差の遅れがある場合には当該国の日付の粋の開始位置は隣接する国より後へずらして配置し、時差の進みがある場合は前へずらして配置する。
以上の構成からなる複数国、都市、または州の時差に対応した時差対応カレンダー。
【請求項２】
請求項１記載のカレンダーにおいて、夏時間が適用される国、都市、または州の夏時間の開始日は１時間繰り上がるため、その該当日の一辺の目盛の数を１目盛分少なくし、夏時間の終了日は１時間繰り延べられるため、その該当日の一辺の目盛の数を１目盛分増やすが、夏時間の適用の有無にかかわらず１目盛の幅は全て同じに配置して夏時間の適用に対応した時差対応カレンダー。
【請求項３】
請求項１記載のカレンダーにおいて、各国、都市、または州の夏時間の開始日と終了日、祝祭日、公休日、公的主要行事を暦の日付の中に表示することを特徴とする時差対応カレンダー。
【手続補正２】
【補正対象書類名】明細書
【補正対象項目名】００２４
【補正方法】変更
【補正の内容】
【００２４】  本考案は紙またはプラスチック製のカレンダーへの利用が考えられる。